(57)【要約】【課題】  二つのケース部材を開封不能に封止する封止構造を備えた基板ケースを小型化するとともに、当該基板ケースのコストを低減する。【解決手段】  所定の制御基板１０ａを収容する基板ケース１０ｂは、制御基板１０ａを挟んで収容する第一ケース２０及び第二ケース３０と、これらを係止する係止構造２５、３６と、それらを開封不能に封止するかしめ構造３８、４０とを備え、係止構造２５、３６は、基板ケース１０ｂの一側に設けられ、かしめ構造３８、４０は、係止構造２５、３６と対向する基板ケース１０ｂの他側に設けられ、第一ケース２０と第二ケース３０との封止を解除するための切断容易部２７又は破壊容易部の少なくとも一部が、第一ケース２０のうち、制御基板１０ａの基板面１１に対向する領域内に形成された。【選択図】    図１１
2015000171.tif 000002
【特許請求の範囲】
【請求項１】
所定の制御基板を収容する基板ケースを備える遊技機であって、
前記基板ケースは、
前記制御基板を挟んで収容する第一ケース及び第二ケースと、
前記第一ケースと前記第二ケースとを係止する係止構造と、
前記第一ケースと前記第二ケースを開封不能に封止するかしめ構造とを備え、
前記係止構造は、前記基板ケースの一側に設けられるとともに、前記かしめ構造は、前記係止構造と対向する前記基板ケースの他側に設けられ、
前記第一ケースが、前記第一ケースと前記第二ケースとの封止を解除するための切断容易部又は破壊容易部を有し、
前記切断容易部又は前記破壊容易部の少なくとも一部が、前記第一ケースと前記第二ケースとを封止した状態において、前記第一ケースのうち、前記制御基板の基板面に対向する領域内に形成された
ことを特徴とする遊技機。
【請求項２】
所定の制御基板を収容する基板ケースを備える遊技機であって、
前記基板ケースは、
前記制御基板を挟んで収容する第一ケース及び第二ケースと、
前記第一ケースと前記第二ケースとを係止する係止構造と、
前記第一ケースと前記第二ケースを開封不能に封止するかしめ構造とを備え、
前記係止構造は、前記基板ケースの一側に設けられるとともに、前記かしめ構造は、前記係止構造と対向する前記基板ケースの他側に設けられ、
前記第二ケースが、前記第一ケースと前記第二ケースとの封止を解除するための切断容易部又は破壊容易部を有し、
前記切断容易部又は前記破壊容易部の少なくとも一部が、前記第一ケースと前記第二ケースとを封止した状態において、前記第二ケースのうち、前記制御基板の基板面に対向する領域内に形成された
ことを特徴とする遊技機。
【請求項３】
前記係止構造として、前記第一ケース又は前記第二ケースの一方に、凹状のヒンジ凹部を形成し、他方に、前記ヒンジ凹部に係止する凸状のヒンジ凸部を形成し、
前記かしめ構造として、前記第一ケース又は前記第二ケースに固定されて前記第二ケース又は前記第一ケースに係止するかしめ部材を有し、
前記第一ケースの前記底部から、前記ヒンジ凹部に係止する前記ヒンジ凸部の中心軸までの高さを第一高さとし、
前記第一ケースの前記底部から、前記かしめ部材が前記第二ケース又は前記第一ケースに係止する位置までの高さを第二高さとしたときに、
前記第一高さと前記第二高さが、ほぼ同じである
ことを特徴とする請求項１又は２記載の遊技機。
【請求項４】
前記かしめ構造として、前記第一ケース又は前記第二ケースに固定されて前記第二ケース又は前記第一ケースに係止するかしめ部材を有し、
前記第二ケース及び前記第一ケースが前記制御基板を収容する収容空間内に、前記かしめ部材が位置している
ことを特徴とする請求項１〜３のいずれかに記載の遊技機。
【請求項５】
前記かしめ部材を前記第一ケース又は前記第二ケースに固定するための固定部材を備え、
前記かしめ部材が前記第一ケースに固定される場合には、前記固定部材が、前記第一ケースのうち前記制御基板に対向する領域と当該制御基板との間に位置し、
前記かしめ部材が前記第二ケースに固定される場合には、前記固定部材が、前記第二ケースのうち前記制御基板に対向する領域と当該制御基板との間に位置する
ことを特徴とする請求項３又は４記載の遊技機。
【請求項６】
前記かしめ部材は、所定の形状に形成された基部と、この基部から立設した板状又は棒状の立設部と、この立設部の端部から湾曲した湾曲部と、この湾曲部の湾曲方向端部から直線状に延伸した延伸部と、この延伸部の端部から斜め方向に延伸した傾斜部とを有した
ことを特徴とする請求項３〜５のいずれかに記載の遊技機。
【発明の詳細な説明】
【技術分野】
【０００１】
本発明は、所定の制御基板を収容する基板ケースを備えた遊技機に関し、特に、その基板ケースが、制御基板を収容する二つのケース部材と、これら二つのケース部材を開封不能に封止する封止構造とを備えた遊技機に関する。
【背景技術】
【０００２】
一般に、スロットマシンやパチンコ機等の遊技機には、遊技に関する所定の制御を実行する複数の制御基板が設けられている。
これらの制御基板の中には、遊技機の正面に配設されたＬＥＤ等の発光ランプの点灯制御やスピーカから出力される効果音の出力制御を行って遊技の内容に応じた所定の演出を実現する副制御基板が含まれている。
副制御基板は、現在では、いわゆるアシストタイム（ＡＴ）と呼ばれる、停止ボタンの押し順報知に関する制御を行っている。このＡＴ中の押し順報知は、出玉に影響を与えることから、この押し順報知を制御する副制御基板は、不正改造の対象となり易い。そのために、当該副制御基板を透明な二つのケース部材の間に挟んで収容するとともに、これら二つのケース部材が開封不能に封止された状態で、遊技機の本体における所定の箇所、例えば前扉の裏面あるいは筐体内部の側面などに取り付けられている。
【０００３】
また、それら二つのケース部材を開封不能に封止する封止構造については、従来から提案されている。
例えば、ベース側とカバー側に分離可能な基板ケースにおいて、これらベース側とカバー側とを締結するロックピンが、線状の連結部を介してカバー側ケースの外側面に取り付けられており、ベース側ケースにカバー側ケースを覆い被せた状態で、カバー側ケースの挿通孔と、これに連通するベース側ケースの挿通孔に、ロックピンを挿入することで、それらベース側ケースとカバー側ケースとを開封不能に封止する技術が提案されている（例えば、特許文献１参照。）。
この技術によれば、一本のロックピンが、カバー側ケースの挿通孔とベース側ケースの挿通孔の両方に挿通されるため、それらベース側ケースとカバー側ケースとを開封不能に封止することができる。
【０００４】
さらに、この特許文献１に記載の技術においては、カバー側ケースの挿通孔とベース側ケースの挿通孔の両方に挿通されたロックピンの直上の位置に、脱抜可能な蓋が内設された開口が穿設されている。
そして、その開口から蓋を脱抜し、その開口にニッパーなどの剪断工具を挿入して、ロックピンを切断することにより、ベース側ケースとカバー側ケースとを開封できるようになっている。
【先行技術文献】
【特許文献】
【０００５】
【特許文献１】特開２００５−１９２７９２号公報
【発明の概要】
【発明が解決しようとする課題】
【０００６】
しかしながら、上述した特許文献１に記載の技術においては、次のような問題があった。
例えば、ベース側ケースとカバー側ケースとを締結するロックピンと、このロックピンとカバー側ケースとを繋ぐ連結部が、カバー側ケースの外側面に外付けされていた。このため、それらベース側ケースとカバー側ケースとを含む基板ケースの大きさが、それらロックピンと連結部との外付けされた領域分だけ大きくなってしまうという問題があった。
【０００７】
また、蓋が内設された開口は、カバー側ケースの上面の端部に穿設されている。ただし、この開口が穿設されている位置は、当該カバー側ケースを上方から見たときに、このカバー側ケースの内部に収容されている制御基板の側辺よりも外側に位置している。
このように、蓋が内設された開口が制御基板の側辺よりも外側に位置していることから、その分、基板ケースの大きさを大きくしなければならないという問題があった。
【０００８】
さらに、カバー側ケースの挿通孔とベース側ケースの挿通孔に挿通されたロックピンは、制御基板の側辺よりも外側に位置している。
このため、基板ケースの大きさは、制御基板を収容するとともに、挿通されたロックピンをも収容可能な大きさにまで大きくしなければならないという問題があった。
【０００９】
本来、基板ケースは、制御基板を収容するものであるため、この基板ケースの大きさは、制御基板を収容可能な大きさとなっていればよい。
ところが、特許文献１に記載の基板ケースでは、制御基板の側辺よりも外側に、蓋が内設された開口や、ロックピンなどが設けられていた。このため、その分、基板ケースの大きさを大きくしなければならなかった。
そうすると、この基板ケースが取り付けられる遊技機の内部においては、大きさの大きい基板ケースを取付可能なスペースを確保する必要が生じる。遊技機内には、基板ケース以外にも、様々な装置が配置されている。このため、基板ケースの大きさが大きくなるほど、遊技機内における当該基板ケースの配置スペースの確保が難しくなり、この基板ケースの配置に支障をきたしてしまうという問題があった。
また、基板ケースが大型化することで、当該基板ケースのコストが高くなるという問題もあった。
【００１０】
本発明は、上記の事情にかんがみなされたものであり、二つのケース部材を開封不能に封止する封止構造を備えた基板ケースを小型化可能にして、遊技機内における当該基板ケースの配置を支障なく行えるようにするとともに、当該基板ケースのコストを低減可能とする遊技機の提供を目的とする。
【課題を解決するための手段】
【００１１】
この目的を達成するため、本発明の遊技機は、遊技機を構成する装置が収容される筐体と、所定の制御基板を収容して筐体に取り付けられる基板ケースとを備える遊技機であって、基板ケースは、制御基板を挟んで収容する第一ケース及び第二ケースと、第一ケースと第二ケースとを係止する係止構造と、第一ケースと第二ケースを開封不能に封止するかしめ構造とを備え、係止構造は、基板ケースの一側に設けられるとともに、かしめ構造は、係止構造と対向する基板ケースの他側に設けられ、第一ケースが、第一ケースと第二ケースとの封止を解除するための切断容易部又は破壊容易部を有し、切断容易部又は破壊容易部の少なくとも一部が、第一ケースと第二ケースとを封止した状態において、第一ケースのうち、制御基板の基板面に対向する領域内に形成された構成としてある。
【発明の効果】
【００１２】
本発明の遊技機によれば、第一ケースと第二ケースとの封止を解除するための切断容易部又は破壊容易部が、第一ケースのうち制御基板の基板面に対向する領域内に形成されているため、当該基板ケースを小型化できる。これにより、遊技機内における当該基板ケースの配置を支障なく行うことができる。
また、基板ケースを小型化できるので、当該基板ケースのコストを低減できる。
【図面の簡単な説明】
【００１３】
【図１】本発明の実施形態に係るスロットマシンの外観を示す正面図である。
【図２】本発明の実施形態に係るスロットマシンの内部構成を示す斜視図である。
【図３】副制御部の構成を示す外観斜視図である。
【図４】基板ケースの本体ケースの構成を示す外観斜視図である。
【図５】基板ケースの蓋ケースの構成を示す外観斜視図である。
【図６】蓋ケースと副制御基板の各構成を示す外観斜視図である。
【図７】かしめ部材の構成を示す図であって、（ｉ）は、平面図、（ii）は、正面図、（iii）は、底面図、（iv）は、背面図、（ｖ）は、右側面図、（vi）は、左側面図である。
【図８】本体ケースにかしめ部材を装着した状態を示す外観斜視図である。
【図９】本体ケースのヒンジ凹部に蓋ケースのヒンジ凸部を嵌合した状態を示す外観斜視図である。
【図１０】本体ケースの上面に蓋ケースを閉塞した状態を示す外観斜視図である。
【図１１】本体ケース及び蓋ケースの内部構成を示す断面図である。
【図１２】本体ケースの構成を示す図であって、（ｉ）は、平面図、（ii）は、側面図、（iii）は、底面図である。
【図１３】切断容易部を切断した状態を示す外観斜視図である。
【図１４】高さＡ１と高さＡ２が同じ高さである基板ケースにおいて、本体ケースに対して蓋ケースを閉じる様子を示す側方要部断面図である。
【図１５】高さＡ２が高さＡ１よりも高い基板ケースにおいて、本体ケースに対して蓋ケースを閉じる様子を示す側方要部断面図である。
【図１６】かしめ部材と蓋ケースの係止孔との関係を示す断面図である。
【図１７】蓋ケースが引き上げられたときのかしめ部材の変形の様子を示す断面図である。
【図１８】かしめ部材を取付可能な蓋ケースを有する基板ケースの構成を示す断面図である。
【図１９】図１８に示す蓋ケースを下部開口側から見た状態を示す図である。
【図２０】前扉の背面に副制御部が取り付けたスロットマシンの内部構成を示す斜視図である。
【発明を実施するための形態】
【００１４】
以下、本発明に係る遊技機の好ましい実施形態について、各図を参照して説明する。
【００１５】
［遊技機］
遊技に関する所定の制御を実行する制御基板が設けられた遊技機には、スロットマシン、パチンコ機、パロット、アレンジボール、雀球機など様々な種類があるが、本実施形態では、本発明をスロットマシンに適用した場合について説明する。
【００１６】
本実施形態のスロットマシンは、複数のリールを回転させることによって遊技媒体であるメダルを獲得できる回胴式遊技機として構成されており、所定の演出を制御する副制御部が、当該スロットマシンを構成する各種装置を納めた筐体の内側面に配設された構成となっている。
以下、本実施形態に係るスロットマシンについて詳述する。
【００１７】
図１、図２に示すように、本実施形態のスロットマシン１は、メダル投入口２から実際に投入されるメダルの数（例えば、３枚）、又は内部的に記憶されたクレジットメダルからベットボタン２ａの操作によって信号形式で投入されるメダルの数（例えば、３枚）に応じてゲーム開始可能な状態となり、この状態でスタートレバー３が操作（始動操作）されると、複数のリール４（４ａ〜４ｃ）が回転を開始するとともに、それぞれのリール４ａ〜４ｃに対応する停止ボタン５（５ａ〜５ｃ）が押圧操作されると、スタートレバー３の操作タイミングで行われる抽選処理の抽選結果に応じた図柄の組合せで停止するように各リール４ａ〜４ｃが停止制御され、停止した図柄の組合せに基づいて入賞の有無が判定され、判定結果に応じてメダル払出装置７からメダルが払い出されるという、通常のスロットマシン遊技を実現可能な構成を備えている。
【００１８】
このようなスロットマシン遊技を実現可能なスロットマシン１においては、遊技の進行を制御する主制御部９が、筐体１ｂの内部壁面に取り付けられている。
また、このスロットマシン１においては、遊技の進行に伴って、当該遊技の内容に応じた所定の演出を制御する副制御部１０が、スロットマシン１の前扉１ａの裏面上部、又は、筐体１ｂの内部壁面に取り付けられている。
副制御部１０は、所定の演出、例えば大当りに入賞したときに、スロットマシン１の前面側を構成する前扉１ａに配設されたＬＥＤランプ等を点灯させたり、あるいは、スピーカ８から所定の効果音を出力させたりするなどしてその入賞を祝福するといった演出を実行する。
【００１９】
また、副制御部１０は、現在では、いわゆるアシストタイム（ＡＴ）と呼ばれる、停止ボタン５の押し順報知に関する制御を行っている。このＡＴ中の押し順報知は、出玉に影響を与えることから、この押し順報知を制御する副制御部１０は、不正行為の対象となりやすい。
そこで、この副制御部１０の構造として、ＡＴ中の押し順報知の制御を実際に行う副制御基板１０ａが、透明の基板ケース１０ｂに収容された状態で、筐体１ｂの内部壁面などに取り付けられている。
また、副制御基板１０ａを収容する基板ケース１０ｂは、所定の深さを有する凹状のケース部材を二枚重ね合わせ、この中空内部にその副制御基板１０ａを収容するようになっている。さらに、この基板ケース１０ｂは、当該基板ケース１０ｂの内部に取り付けられたかしめ部材４０によって、開封不能に封止されるようになっている。
以下、本実施形態の基板ケース１０ｂの構成について、図３〜図１７を参照しつつ説明する。
【００２０】
［基板ケース］
これらの図に示すように、基板ケース１０ｂは、副制御基板１０ａの一方の基板面である第一基板面１１を覆う本体ケース２０と、副制御基板１０ａの他方の基板面である第二基板面１２を覆う蓋ケース３０と、これら本体ケース２０と蓋ケース３０とを開封不能に封止するかしめ部材４０とを備えている。
【００２１】
本体ケース２０は、本発明の第一ケースを構成する、深さの浅い凹状のケース部材であって、図４に示すように、矩形板状の底部２１と、この底部２１の四つの辺に沿って直交方向に立設した第一〜第四の側壁部２２１〜２２４とにより、上面に開口を有する凹状のケース部材として形成されている。
なお、底部２１における四つの辺において、各辺を含む端辺部分を、隣接した順に、第一端辺部２１１、第二端辺部２１２、第三端辺部２１３、第四端辺部２１４とする。また、第一端辺部２１１から立設した側壁部を第一側壁部２２１とし、第二端辺部２１２から立設した側壁部を第二側壁部２２２とし、第三端辺部２１３から立設した側壁部を第三側壁部２２３とし、第四端辺部２１４から立設した側壁部を第四側壁部２２４とする。
【００２２】
蓋ケース３０は、本発明の第二ケースを構成する、所定の深さを有する凹状のケース部材であって、図５、図６に示すように、矩形状の上面部３１と、この上面部３１の四つの端辺部分のそれぞれから直交方向下方向へ延設された第一〜第四の側壁部３２１〜３２４とにより、下面に開口を有するケース部材として形成されている。
なお、蓋ケース３０の有する四つの側壁部３２１〜３２４のうち、本体ケース２０の第一側壁部２２１に対応する側壁部を第一側壁部３２１とし、本体ケース２０の第二側壁部２２２に対応する側壁部を第二側壁部３２２とし、本体ケース２０の第三側壁部２２３に対応する側壁部を第三側壁部３２３とし、本体ケース２０の第四側壁部２２４に対応する側壁部を第四側壁部３２４とする。
【００２３】
蓋ケース３０における凹状の内部は、図６に示すように、副制御基板１０ａを収容する基板収容空間３３となっており、副制御基板１０ａの第二基板面１２を蓋ケース３０の上面部３１の内側面３１１に対向させた状態で、この副制御基板１０ａを蓋ケース３０の基板収容空間３３に収容させる。
副制御基板１０ａは、ＣＰＵ（中央演算処理装置）、ＲＯＭ及びＲＡＭなどの記憶手段、Ｉ／ＯインターフェイスなどのＩＣ部品、抵抗、コンデンサ、トランジスタなどの様々な電子部品などが実装されたプリント基板である。
【００２４】
蓋ケース３０の上面部３１の内側面３１１には、雌ネジが加工されたネジ穴３４が形成されている。そして、副制御基板１０ａには、そのネジ穴３４に対応する位置に貫通孔であるネジ孔１３が穿設されている。これにより、その副制御基板１０ａを蓋ケース３０の基板収容空間３３に収容し、この副制御基板１０ａのネジ孔１３にネジ５１を挿入し、このネジ５１を蓋ケース３０のネジ穴３４の雌ネジに螺入することで、副制御基板１０ａを蓋ケース３０の基板収容空間３３に収容した状態で螺着固定することができる。
そして、このように、副制御基板１０ａが基板収容空間３３に収容された蓋ケース３０においては、副制御基板１０ａの第二基板面１２に搭載されたコネクタ１４（図１１参照）が、蓋ケース３０の上面部３１に矩形状に穿設されたコネクタ孔３５に通され、この上面部３１の上方に露出した状態となる。
【００２５】
かしめ部材４０は、本体ケース２０と蓋ケース３０とを開封不能にかしめて封止するための部材であって、図７（ｉ）〜（vi）に示すように、直方体状の基部４１と、この基部４１の上面４１１に立設した湾曲形状の係止部４２とを有している。
係止部４２は、基部４１の上面４１１から立設した板状又は棒状の立設部４２１と、この立設部４２１の上端から円弧状に湾曲した湾曲部４２２と、この湾曲部４２２の湾曲方向端部から下方へ向かって直線状に延伸した延伸部４２３と、この延伸部４２３の下端から斜め下方向に延伸した傾斜部４２４とを有する、全体としてヘアピンカーブ状（逆Ｕの字状）に形成された部分である。
本実施形態においては、係止部４２が、基部４１の上面４１１における長手方向の両端部のそれぞれに、計二つ形成されている。
【００２６】
このかしめ部材４０は、本体ケース２０の底部２１の上面２１５に装着される。具体的には、次に説明する構造を有することによって、かしめ部材４０が本体ケース２０の底部２１の上面２１５に装着可能となっている。
図４に示すように、本体ケース２０の底部２１の上面２１５には、凸状のボス２３が形成されている。このボス２３は、底部２１の上面２１５において、この上面２１５から上方に突出した形状（本実施形態では、円筒形状）で形成されるとともに、第三側壁部２２３の近傍に形成されている。また、ボス２３は、底部２１の上面２１５において、所定数（本実施形態においては、三つ）形成されている。
【００２７】
これら所定数のボス２３のうち、複数（本実施形態においては、二つ）のボス２３は、かしめ部材４０の基部４１においてこの基部４１の下面４１２から当該基部４１の内部に向かって凹設されたボス嵌合穴４１３に嵌入する固定用ボス２３１として機能する。
また、所定数のボス２３のうち、固定用ボス２３１以外のボス２３は、かしめ部材４０の基部４１の側部に形成された切り欠き部４１４に係合する位置決めボス２３２として機能する。
さらに、本体ケース２０の底部２１には、複数のボス２３の近傍に、当該底部２１の厚み方向に貫通した貫通孔である位置決め孔２４が穿設されている。この位置決め孔２４は、かしめ部材４０の基部４１の下面４１２から突出した突部４１６が嵌入する孔である。
【００２８】
このような構造を有する本体ケース２０に対し、かしめ部材４０は、次の手順にしたがって装着される。
本体ケース２０の底部２１の上面２１５のうちボス２３が形成されている部分と、かしめ部材４０の基部４１の下面４１２とを対向させるような向きで、当該かしめ部材４０を位置させる。
かしめ部材４０の基部４１の下面４１２に凹設されたボス嵌合穴４１３に対して、本体ケース２０の固定用ボス２３１を嵌入させる。このとき、本体ケース２０の位置決めボス２３２が、かしめ部材４０の切り欠き部４１４に係合する。
【００２９】
かしめ部材４０の基部４１の下面４１２が本体ケース２０の底部２１の上面２１５に接触するところまで、当該かしめ部材４０を押し込む。
そして、かしめ部材４０の基部４１の下面４１２が本体ケース２０の底部２１の上面２１５に接触したときに、その押し込みを終了し、かしめ部材４０の基部４１の上面４１１からボス嵌合穴４１３に向かって穿設された貫通孔であるネジ孔４１５に固定部材であるネジ５２を挿入する。さらに、このネジ５２を、当該かしめ部材４０のボス嵌合穴４１３に嵌入している本体ケース２０の固定用ボス２３１に形成された雌ネジに螺入する。これにより、かしめ部材４０を本体ケース２０に螺着固定する。
以上の手順にしたがうことにより、かしめ部材４０を本体ケース２０の底部２１の上面２１５に装着することができる（図８参照）。
【００３０】
なお、このように、本体ケース２０の底部２１の上面２１５にかしめ部材４０が装着された状態においては、かしめ部材４０の基部４１の下面４１２に形成された突部４１６が、本体ケース２０の位置決め孔２４に嵌入した状態となっている。
また、本体ケース２０の底部２１の上面２１５にかしめ部材４０が装着された状態においては、かしめ部材４０の切り欠き部４１４に、本体ケース２０の位置決めボス２３２が嵌合する。切り欠き部４１４は、かしめ部材４０の基部４１の下面４１２に凹設された二つのボス嵌合穴４１３の間からずれた位置である基部４１の側部に形成されている。このため、かしめ部材４０は、二つのボス嵌合穴４１３のそれぞれに本体ケース２０の固定用ボス２３１が嵌入され、かつ、切り欠き部４１４に位置決めボス２３２が嵌合される向きでのみ、本体ケース２０の底部２１の上面２１５に装着可能となっており、これ以外の向きでは装着できないようになっている。これにより、本体ケース２０に対するかしめ部材４０の装着の向きを一定の向きとすることができる。
【００３１】
さらに、かしめ部材４０は、本体ケース２０の底部２１の上面２１５においてボス２３が形成された箇所に取付可能となっていることから、これらボス２３と、これらボス２３が嵌合するかしめ部材４０のボス嵌合穴４１３及び切り欠き部４１４は、かしめ部材４０の装着位置を位置決めする機能を有している。
なお、本実施形態においては、位置決めボス２３２と切り欠き部４１４を、それぞれ一つずつ形成することとしているが、これらをそれぞれ二つ以上ずつ形成するようにしてもよい。
【００３２】
本体ケース２０の底部２１に装着されたかしめ部材４０は、係止部４２の延伸部４２３及び傾斜部４２４の位置が、その係止部４２の立設部４２１と本体ケース２０の第三側壁部２２３との間に位置するようになっている。
また、係止部４２の傾斜部４２４における上側の傾斜面である傾斜上面４２５が、本体ケース２０の第三側壁部２２３に近接した状態となっている。
【００３３】
このようにしてかしめ部材４０が装着された本体ケース２０に対しては、当該本体ケース２０の上面開口に蓋ケース３０が取り付けられる。
本体ケース２０に対する蓋ケース３０の取り付けは、本体ケース２０に形成されたヒンジ凹部２５に、蓋ケース３０に形成されたヒンジ凸部３６を嵌合させ、このヒンジ凸部３６を軸として蓋ケース３０を本体ケース２０に向かって回動することによって行われる。
詳細には、本体ケース２０と蓋ケース３０が、それぞれ次に説明する構造を有することによって実現される。
【００３４】
本体ケース２０の第二側壁部２２２には、この第二側壁部２２２の上面から下方へ向かって切り欠かれ、さらにこの切り欠きの下端から第一側壁部２２１に向かう方向にＬ字状に切り欠かれたヒンジ凹部２５が形成されている（図４参照）。また、本体ケース２０の第四側壁部２２４にも、この第四側壁部２２４の上面から下方へ向かって切り欠かれ、さらにこの切り欠きの下端から第一側壁部２２１に向かう方向にＬ字状に切り欠かれたヒンジ凹部２５が形成されている。
第二側壁部２２２に形成されたヒンジ凹部２５と、第四側壁部２２４に形成されたヒンジ凹部２５は、いずれも第一側壁部２２１の近傍に形成されており、かつ、第一側壁部２２１からの距離が同じ距離となっている。
【００３５】
一方、蓋ケース３０の第二側壁部３２２の外側面には、この外側面から外方へ突出した円柱形状のヒンジ凸部３６が形成されている（図５、６参照）。また、蓋ケース３０の第四側壁部３２４の外側面にも、この外側面から外方へ突出した円柱形状のヒンジ凸部３６が形成されている。
第二側壁部３２２の外側面に形成されたヒンジ凸部３６と、第四側壁部３２４の外側面に形成されたヒンジ凸部３６は、いずれも第一側壁部３２１の近傍に形成されており、かつ、第一側壁部３２１からの距離が同じ距離となっている。
【００３６】
また、蓋ケース３０の第一側壁部３２１の長手方向の長さは、本体ケース２０の第一側壁部２２１の長手方向の長さよりも短くなっている。同様に、蓋ケース３０の第二側壁部３２２、第三側壁部３２３、第四側壁部３２４のそれぞれの長手方向の長さは、対応する本体ケース２０の第二側壁部２２２、第三側壁部２２３、第四側壁部２２４のそれぞれの長手方向の長さよりも短くなっている。
つまり、本体ケース２０に蓋ケース３０を重ね合わせたときに、本体ケース２０の第一側壁部２２１〜第四側壁部２２４の内部に、蓋ケース３０の第一側壁部３２１〜第四側壁部３２４が納まるようになっている。
【００３７】
そして、蓋ケース３０の第一側壁部３２１を本体ケース２０の第一側壁部２２１の内側に納めつつ、蓋ケース３０に形成されたヒンジ凸部３６を、本体ケース２０に形成された切り欠きであるヒンジ凹部２５に嵌合し（図９参照。ただし、第一側壁部３２１、２２１については、図４〜図６参照）、蓋ケース３０に形成された二つのヒンジ凸部３６の中心軸を軸として、この蓋ケース３０を本体ケース２０に近づく方向へ回動すると、蓋ケース３０が本体ケース２０の上面の開口を閉塞し、かつ、この蓋ケース３０の第一側壁部３２１〜第四側壁部３２４が本体ケース２０の第一側壁部２２１〜第四側壁部２２４の内側に収容された状態となる（図１０参照。ただし、第一側壁部３２１等については、図４〜図６参照）。
【００３８】
このように本体ケース２０と蓋ケース３０が閉じた状態においては、蓋ケース３０の第二側壁部３２２における長手方向の中央部分に形成された鉤状部３７が、本体ケース２０の第二側壁部２２２における長手方向の中央部分に形成された鉤係止部２６に係止するようになっている（図９、１０参照）。また、この状態においては、蓋ケース３０の第四側壁部３２４に形成された鉤状部３７が、本体ケース２０の第四側壁部２２４に形成された鉤係止部２６に係止するようになっている。
さらに、この状態においては、本体ケース２０の第三側壁部２２３の上面に突設された上辺突部２２５が、蓋ケース３０の第三側壁部３２３の外側面から直交外方に突設された突状板部３９に穿設されている挿通孔３９１に挿入される。
【００３９】
また、蓋ケース３０の第三側壁部３２３には、板状である当該第三側壁部３２３の厚み方向に貫通した係止孔３８が穿設されている。この係止孔３８は、本体ケース２０と蓋ケース３０が閉じた状態となっているときに、本体ケース２０の底部２１に装着されたかしめ部材４０の係止部４２に対応する位置に形成されている。そして、それら本体ケース２０と蓋ケース３０が閉じた状態となっているときには、かしめ部材４０の係止部４２の傾斜部４２４が当該係止孔３８に係止する。
【００４０】
この点について、さらに説明する。本体ケース２０と蓋ケース３０が離間した状態において、蓋ケース３０のヒンジ凸部３６を本体ケース２０のヒンジ凹部２５に嵌合し、このヒンジ凸部３６の中心軸を軸として当該蓋ケース３０を本体ケース２０へ向かう方向に回動すると、この蓋ケース３０の第三側壁部３２３が本体ケース２０の内部（本体ケース２０の第三側壁部２２３の内側）に進入する（図１４（ｉ）参照）。この進入した第三側壁部３２３の下面又は内側面には、まず、かしめ部材４０の係止部４２の傾斜部４２４の傾斜上面４２５が当接する。傾斜部４２４は、本体ケース２０の第三側壁部２２３に近接している。このため、蓋ケース３０の第三側壁部３２３は、それらかしめ部材４０の傾斜部４２４と本体ケース２０の第三側壁部２２３との間に進入するようになる。そうすると、かしめ部材４０の傾斜部４２４は、蓋ケース３０の第三側壁部３２３から押圧を受けるので、このかしめ部材４０の係止部４２の湾曲部４２２が弾性変形し、当該係止部４２の傾斜部４２４と延伸部４２３が立設部４２１に近づき、これにより、この係止部４２の傾斜部４２４と本体ケース２０の第三側壁部２２３との間が離間するので、この間を蓋ケース３０の第三側壁部３２３が進入可能となる。
かしめ部材４０の傾斜部４２４の先端部４２６が蓋ケース３０の第三側壁部３２３の係止孔３８に達すると、かしめ部材４０の係止部４２が蓋ケース３０の第三側壁部３２３から受けていた押圧が除荷されて、弾性変形していた湾曲部４２２が元の形状に復元し、傾斜部４２４と延伸部４２３が立設部４２１から離間する方向へ移動して、この傾斜部４２４が、蓋ケース３０の第三側壁部３２３の係止孔３８に進入し、当該係止孔３８に係止する（図１４（ii）参照）。
【００４１】
このように、かしめ部材４０の傾斜部４２４が蓋ケース３０の第三側壁部３２３の係止孔３８に係止した状態においては、蓋ケース３０を本体ケース２０から離間する方向へ回動しようとすると、かしめ部材４０の傾斜部４２４の先端部４２６が蓋ケース３０の第三側壁部３２３の係止孔３８の周面（図１４（ii）における係止孔３８の下側面）に当接するので、それら蓋ケース３０と本体ケース２０が開封不能に封止された状態となる。
これにより、それら蓋ケース３０と本体ケース２０との間に収容された副制御基板１０ａへのアクセスが不能となるので、この副制御基板１０ａに対する不正行為を防止できる。
【００４２】
また、本体ケース２０と蓋ケース３０が閉じた状態においては、蓋ケース３０のヒンジ凸部３６が本体ケース２０のヒンジ凹部２５に嵌合した状態となっている。そして、ヒンジ凹部２５は、Ｌ字状に切り欠き形成されているため、このヒンジ凹部２５に嵌合しているヒンジ凸部３６は、当該嵌合状態から脱抜不能となっている。具体的に、図１４（ii）に示す状態においては、ヒンジ凸部３６が、上方向（本体ケース２０から蓋ケース３０が離間する方向）、下方向（本体ケース２０に対して蓋ケース３０が近づく方向）、右方向（本体ケース２０の第一側壁部２２１に近づく方向）、左方向（本体ケース２０の第三側壁部２２３に近づく方向）のいずれの方向への移動も不能となっている。
さらに、当該状態においては、蓋ケース３０の第二側壁部３２２の外側に本体ケース２０の第二側壁部２２２が近接し、蓋ケース３０の第四側壁部３２４の外側に本体ケース２０の第四側壁部２２４が近接しているので、本体ケース２０のヒンジ凹部２５に嵌合している蓋ケース３０のヒンジ凸部３６は、本体ケース２０の内部へ向かう方向への脱離が不能となっている。
【００４３】
このように、本体ケース２０と蓋ケース３０が閉じた状態においては、蓋ケース３０と本体ケース２０とを開封しようとしても、かしめ部材４０の傾斜部４２４が蓋ケース３０の係止孔３８に係止するとともに、蓋ケース３０のヒンジ凸部３６が本体ケース２０のヒンジ凹部２５に脱離不能に嵌合しているため、開封不能となっている。そして、これにより、副制御基板１０ａへのアクセスが不能となるので、この副制御基板１０ａに対する不正行為を防止できる。
【００４４】
ここまで説明したように、本体ケース２０と蓋ケース３０とを備えて構成される基板ケース１０ｂは、本体ケース２０のヒンジ凹部２５と蓋ケース３０のヒンジ凸部３６が、それら本体ケース２０と蓋ケース３０とを係止する係止構造として、基板ケース１０ｂにおける一方の側部及びこの近傍を含む範囲、すなわち、当該基板ケース１０ｂの一側に設けられている。
また、本体ケース２０の底部２１の上面２１５に装着されたかしめ部材４０と蓋ケース３０の第三側壁部３２３の係止孔３８が、それら本体ケース２０と蓋ケース３０とを開封不能に封止するかしめ構造として、基板ケース１０ｂにおける他方の側部及びこの近傍を含む範囲、すなわち、係止構造と対向する基板ケース１０ｂの他側に設けられている。
このような構造を備えた本実施形態の基板ケース１０ｂは、以下に説明する優れた特徴を備えている。この基板ケース１０ｂが備える優れた特徴について、順に説明する。
【００４５】
（ａ）本体ケース２０において、副制御基板１０ａの第一基板面１１に対向する領域に切断容易部２７が形成されていること
【００４６】
基板ケース１０ｂは、副制御基板１０ａに対する不正行為を防止するために、この副制御基板１０ａを内部に封入する構造となっており、これにより、その副制御基板１０ａへの不正なアクセスを不能としている。ただし、メンテナンスなどのために副制御基板１０ａを取り出す等の必要が生じたときは、本体ケース２０に形成された切断可能な切断容易部２７を切断又は破壊することにより、これら本体ケース２０と蓋ケース３０とを開封できるようになっている。
【００４７】
切断容易部２７は、図１２（ｉ）〜（iii）に示すように、本体ケース２０の底部２１において、固定用ボス２３１の周囲に形成された複数の開口２７１と、これら複数の開口２７１の各間に位置して本体ケース２０と固定用ボス２３１とを接続する繋接部２７２と、を含む環状部分である。そして、繋接部２７２は、本体ケース２０の底部２１よりも厚みの薄い肉薄部として形成されており、かつ、底部２１の下面から外方へ隆起した形状に形成されている（図１２（ii）参照）。
切断容易部２７をこのような形状に形成することにより、ニッパーなどの剪断工具を用いて繋接部２７２を切断することができる。これにより、本体ケース２０と固定用ボス２３１とを分離することができる。
【００４８】
また、本体ケース２０と蓋ケース３０が閉じた状態においては、かしめ部材４０が本体ケース２０の固定用ボス２３１に螺着固定されており、このかしめ部材４０の係止部４２の傾斜部４２４は、蓋ケース３０の第三側壁部３２３の係止孔３８に係止している。
すなわち、かしめ部材４０は、本体ケース２０に対しては、固定用ボス２３１に螺着している以外は、その本体ケース２０に係合していない。このため、切断容易部２７が切断されて本体ケース２０と固定用ボス２３１とが分離することにより、かしめ部材４０が本体ケース２０から分離する（図１３参照）。このとき、かしめ部材４０には、固定用ボス２３１が螺着したままの状態で分離する。
また、蓋ケース３０は、本体ケース２０に対しては、第二側壁部３２２と第四側壁部３２４のそれぞれの外側面に突設されたヒンジ凸部３６が本体ケース２０のヒンジ凹部２５に嵌合し、かつ、かしめ部材４０を介して封止されている以外は、本体ケース２０に係合していない。このことから、切断容易部２７が切断されてかしめ部材４０が本体ケース２０から切り離されることにより、ヒンジ凸部３６をヒンジ凹部２５から脱離可能な状態となり、蓋ケース３０と本体ケース２０とを離間可能に開封できるようになる。
【００４９】
このように、切断容易部２７を切断又は破壊することにより、本体ケース２０と蓋ケース３０とを開封することができる。そして、この切断容易部２７は、本体ケース２０の底部２１においては、副制御基板１０ａの第一基板面１１に対向する基板対向領域Ｓに形成されている。
基板対向領域Ｓは、蓋ケース３０と本体ケース２０とを閉じた状態において、この本体ケース２０の底部２１の上面２１５のうち、当該基板ケース１０ｂに収容された副制御基板１０ａに対向した領域である。なお、図１１、図１２（ｉ）においては、斜線で示した範囲が基板対向領域Ｓである。
このように、切断容易部２７を本体ケース２０の基板対向領域Ｓに形成することにより、基板ケース１０ｂの外見上の大きさを小さくできる。
例えば、切断容易部２７を本体ケース２０の基板対向領域Ｓよりも外側に形成した場合、本体ケース２０及び蓋ケース３０の大きさをその分大きくしなければならない。
これに対し、切断容易部２７を本体ケース２０の基板対向領域Ｓ内に形成することにより、これら基板対向領域Ｓと切断容易部２７の占有領域が共有化される。よって、本体ケース２０及び蓋ケース３０の大きさをその分小さくできる。
特に、基板ケース１０ｂは、副制御基板１０ａを収容するものであり、この副制御基板１０ａの大きさよりも小さくすることはできない。
よって、その副制御基板１０ａが収容される範囲内に切断容易部２７を形成することにより、基板ケース１０ｂの大きさを、その副制御基板１０ａを収容するのに必要な大きさにまで小さくすることができる。
【００５０】
なお、切断容易部２７は、当該切断容易部２７の全体が本体ケース２０の基板対向領域Ｓの領域内に形成されていることが望ましいが、切断容易部２７の一部のみが基板対向領域Ｓに形成されている構造であってもよい。この場合でも、当該切断容易部２７の一部が基板対向領域Ｓに形成されている分、基板ケース１０ｂの大きさを小さくできる。
【００５１】
また、この基板ケース１０ｂを遊技機１の筐体１ｂの内側面などに取り付けるときには（図２参照）、切断容易部２７が形成された本体ケース２０を筐体１ｂの内側面に正対し、蓋ケース３０をその筐体１ｂの内側面とは反対側に向くようにしながら、当該基板ケース１０ｂをその筐体１ｂの内側面に取り付けるようにする。これにより、切断容易部２７が基板ケース１０ｂの裏側に位置して、直接アクセスできないようになるので、この切断容易部２７に対する不正な切断を防止できる。
さらに、不正に切断容易部２７が切断されたときには、この切断痕を、不正行為が行われたことを示す痕跡として残すことができる。よって、この切断痕の有無を確認することにより、不正行為の発生を確実に発見できる。
【００５２】
なお、筐体１ｂの内側面などに対して基板ケース１０ｂを取り付けるときは、その筐体１ｂの内側面に突設された板状の部材（図示せず）に、基板ケース１０ｂの本体ケース２０の外側面に突設されたケース取付部２８（図４参照）を重ね合わせ、このケース取付部２８の貫通孔である固定部材用孔２８１と筐体１ｂの板状部材の貫通孔にネジやボルト等の固定部材を挿通して固定することにより、基板ケース１０ｂを筐体１ｂの内側面などに取り付けることができる。
また、遊技場の店員がメンテナンス等のために切断容易部２７を切断する場合には、当該基板ケース１０ｂを遊技機１の筐体１ｂの内側面から取り外した後に、切断容易部２７を切断する。
【００５３】
（ｂ）かしめ部材４０を本体ケース２０に装着するためのネジ５２が、本体ケース２０の基板対向領域Ｓと副制御基板１０ａとの間に位置していること
【００５４】
かしめ部材４０は、本体ケース２０の底部２１の上面２１５に装着されるとき、本体ケース２０の固定用ボス２３１に嵌合されるとともに、固定部材であるネジ５２によって、螺着固定される。
ここで、ネジ５２は、図１１に示すように、本体ケース２０の基板対向領域Ｓと副制御基板１０ａとの間に位置している。
このように、ネジ５２を本体ケース２０の基板対向領域Ｓと副制御基板１０ａとの間に位置させることにより、そのネジ５２を副制御基板１０ａの端辺１５の外側に位置させることと比較して、基板ケース１０ｂの大きさを小さくすることができる。
これは、本体ケース２０において、切断容易部２７が基板対向領域Ｓ内に形成されており、かつ、固定用ボス２３１も、その基板対向領域Ｓ内に形成されているためである。
【００５５】
（ｃ）かしめ部材４０が、基板ケース１０ｂの内部における基板収容空間３３内に位置していること
かしめ部材４０は、本体ケース２０の底部２１の上面２１５に装着される。そして、本体ケース２０と蓋ケース３０とを閉じることにより、かしめ部材４０は、それら本体ケース２０と蓋ケース３０とで囲まれた閉空間である基板収容空間３３内に完全に閉じ込められた状態となる。これにより、それら本体ケース２０及び蓋ケース３０の外部からは、そのかしめ部材４０に対して、直接アクセスできないようになる。
また、かしめ部材４０は、本体ケース２０と蓋ケース３０とを開封不能に封止する部材である。そして、本体ケース２０と蓋ケース３０とを閉じることにより、そのかしめ部材４０に対しては、本体ケース２０及び蓋ケース３０の外部から直接アクセスできなくなる。このため、かしめ部材４０による本体ケース２０と蓋ケース３０との封止状態が、切断容易部２７を切断又は破壊しない限り解除不能となるので、副制御基板１０ａに対する不正行為を防止できる。
【００５６】
（ｄ）基板ケース１０ｂにおけるヒンジの高さとかしめ部材４０の係止部４２の先端部４２６の高さが同じであること
本体ケース２０においては、底部２１の上面２１５を基準面としたときに、この基準面からヒンジ凹部２５までの高さ（正確には、このヒンジ凹部２５に蓋ケース３０のヒンジ凸部３６が嵌合しているときの当該ヒンジ凸部３６の中心軸までの高さ）と、その基準面からかしめ部材４０の傾斜部４２４の先端部４２６までの高さが、ほぼ同じ高さとなっている。
【００５７】
ここで、説明を明確にするために、図１４（ｉ）、（ii）に示すように、基準面からヒンジ凹部２５（このヒンジ凹部２５に蓋ケース３０のヒンジ凸部３６が嵌合しているときの当該ヒンジ凸部３６の中心軸）までの高さを第一高さとし、これをＡ１とする。
また、基準面からかしめ部材４０の傾斜部４２４の先端部４２６までの高さを第二高さとし、これをＡ２とする。
このとき、Ａ１とＡ２の高さは、ほぼ同じ高さとなっている。
【００５８】
このように、Ａ１とＡ２の高さをほぼ同じ高さとすることにより、次の効果を奏する。
第一に、基板ケース１０ｂの厚みを薄くすることができる。
例えば、Ａ１の高さとＡ２の高さがほぼ同じである場合の基板ケース１０ｂの厚みを、Ｂとする。
Ａ１、すなわち、本体ケース２０の底部２１の上面２１５からヒンジ凹部２５に嵌合するヒンジ凸部３６の中心軸までの高さを固定とし、Ａ２、すなわち、本体ケース２０の底部２１の上面２１５からかしめ部材４０の傾斜部４２４の先端部４２６までの高さをＡ１よりも高くしたとき、このように高くした分だけ、基板ケース１０ｂの厚みであるＢを厚くする必要がある。
逆に、Ａ２を固定とし、Ａ１をＡ２よりも高くしたとき、このように高くした分だけ、基板ケース１０ｂの厚みであるＢを厚くする必要がある。
これらに対し、Ａ１の高さとＡ２の高さがほぼ同じである場合には、基板ケース１０ｂの厚みをＢの厚みで維持できる。このＢは、Ａ２がＡ１よりも高い場合における基板ケース１０ｂの厚みや、Ａ１がＡ２よりも高い場合における基板ケース１０ｂの厚みよりも、薄くなっている。
よって、Ａ１とＡ２の高さをほぼ同じ高さとすることにより、基板ケース１０ｂの厚みを薄くすることができる。
【００５９】
第二に、蓋ケース３０の係止孔３８に対するかしめ部材４０の係止を、強固で確実なものとすることができる。
蓋ケース３０は、ヒンジ凸部３６が本体ケース２０のヒンジ凹部２５に嵌合しているときに、このヒンジ凸部３６の中心軸を軸として回動可能となっている。このように、蓋ケース３０がヒンジ凸部３６の中心軸を軸として回動するとき、当該蓋ケース３０において係止孔３８が形成された第三側壁部３２３の辿る軌跡は、ヒンジ凸部３６の中心軸を軸として円弧状となる。
【００６０】
ここで、図１４（ｉ）、（ii）に示すように、Ａ１とＡ２の高さがほぼ同じ高さである場合において、本体ケース２０に対して蓋ケース３０を閉じるとき、この蓋ケース３０の第三側壁部３２３は、かしめ部材４０の傾斜部４２４の上方からその傾斜部４２４に向かって降下する（図１４（ｉ）に示す第三側壁部３２３の進入方向）。そして、その蓋ケース３０の第三側壁部３２３の下面がかしめ部材４０の傾斜部４２４に接触した後、さらに降下して、この蓋ケース３０の係止孔３８にかしめ部材４０の傾斜部４２４が係止すると、この蓋ケース３０の第三側壁部３２３の下端面が本体ケース２０の底部２１の上面２１５に当接し、その蓋ケース３０の第三側壁部３２３の外側面が本体ケース２０の第三側壁部２２３の内側面に近接した状態となる。
【００６１】
これに対し、Ａ２の高さがＡ１の高さよりも高い場合には、図１５（ｉ）、（ii）に示すように、本体ケース２０に対して蓋ケース３０を閉じるときに、この蓋ケース３０の第三側壁部３２３が、かしめ部材４０の傾斜部４２４の斜め上方からその傾斜部４２４に向かって降下する（図１５（ｉ）に示す第三側壁部３２３の進入方向）。そして、そのかしめ部材４０の傾斜部４２４が蓋ケース３０の係止孔３８に係止したときには、この蓋ケース３０の第三側壁部３２３の下端面が本体ケース２０の底部２１の上面２１５に到達せず、かつ、その蓋ケース３０の第三側壁部３２３の外側面が本体ケース２０の第三側壁部２２３の内側面から離間した状態となる。
【００６２】
これらを比較してわかるように、図１４（ｉ）、（ii）に示す場合には、蓋ケース３０の第三側壁部３２３の下端面が本体ケース２０の底部２１の上面２１５に当接し、かつ、この蓋ケース３０の第三側壁部３２３の外側面が本体ケース２０の第三側壁部２２３の内側面に近接した状態となるために、この蓋ケース３０が本体ケース２０の内部で安定した状態を保持できる。よって、この蓋ケース３０の係止孔３８に対するかしめ部材４０の係止が、強固で確実なものとなっている。
これに対し、図１５（ｉ）、（ii）に示す場合には、蓋ケース３０の第三側壁部３２３の下端面が本体ケース２０の底部２１の上面２１５に到達せず、かつ、その蓋ケース３０の第三側壁部３２３の外側面が本体ケース２０の第三側壁部２２３の内側面から離間した状態となるために、この蓋ケース３０が本体ケース２０の内部でガタつきが生じ易く、不安定な状態となる。しかも、蓋ケース３０の係止孔３８に対するかしめ部材４０の係止が不確実なものとなり、蓋ケース３０を本体ケース２０から離間する方向に強く引き上げると、かしめ部材４０の係止が外れてしまう可能性がある。
このように、Ａ１とＡ２の高さをほぼ同じ高さとすることにより、蓋ケース３０の係止孔３８に対するかしめ部材４０の係止を、強固で確実なものとすることができる。
【００６３】
第三に、かしめ部材４０の大きさを小さくすることができる。
この効果は、図１４（ｉ）、（ii）に示すかしめ部材４０と、図１５（ｉ）、（ii）に示すかしめ部材４０とを比較して明らかである。
すなわち、図１４（ｉ）、（ii）に示す基板ケース１０ｂでは、Ａ１とＡ２の高さが同じ高さとなっている。これに対し、図１５（ｉ）、（ii）に示す基板ケース１０ｂでは、Ａ２の高さがＡ１の高さよりも高くなっている。このように、Ａ２の高さがＡ１の高さよりも高くなっている分、かしめ部材４０の高さを高くする必要がある。つまり、かしめ部材４０の大きさが大きくなる。
これとの比較において、図１４（ｉ）、（ii）に示す基板ケース１０ｂでは、Ａ１とＡ２の高さが同じ高さとなっている分、かしめ部材４０の高さを低くすることができ、この分、かしめ部材４０の大きさを小さくすることができる。
【００６４】
（ｅ）かしめ部材４０の係止部４２の形状
かしめ部材４０の係止部４２は、立設部４２１、湾曲部４２２、延伸部４２３、傾斜部４２４が連続したヘアピン状に形成されている。そして、これらのうち、特に、湾曲部４２２、延伸部４２３、傾斜部４２４のそれぞれが、本発明の特徴を有している。
【００６５】
（ｅ−１）湾曲部４２２の形状
湾曲部４２２の形状は、円弧状又は逆Ｕの字状に形成されている。このような形状としたことにより、この湾曲部４２２に加わった力に対する応力を、当該湾曲部４２２の全体に分散させることができる。
ここで、湾曲部４２２の形状を逆Ｖの字状とした場合と、逆Ｕの字状とした場合とを比較する。
前者の場合、この湾曲部４２２に加わった力は、逆Ｖの字の屈折部分に集中する。このため、本体ケース２０に対して蓋ケース３０を閉じるときに、この湾曲部４２２に加わった力は、逆Ｖの字の屈折部分に集中して加わり、この屈折部分に大きな応力が生じるため、当該屈折部分が破損するか、破損しないまでも機械的疲労が蓄積する。
これに対して、後者の場合、湾曲部４２２に加わった力に対する応力は、逆Ｕの字状である当該湾曲部４２２の全体に分散して生じる。このため、本体ケース２０に対して蓋ケース３０を閉じるときに、湾曲部４２２に力が加わったとしても、当該湾曲部４２２には疲労がほとんど蓄積しない。これにより、この湾曲部４２２の機械的強度を高い状態で維持できる。
【００６６】
（ｅ−２）湾曲部４２２と傾斜部４２４との間に延伸部４２３を設けたこと
これにより、次の二つの効果を奏する。
第一の効果は、蓋ケース３０の係止孔３８の大きさを小さくできることである。
例えば、かしめ部材４０の係止部４２の形状として、延伸部４２３がある場合と、無い場合とを比較する。
延伸部４２３がある場合は、図１６（ｉ）に示すように、湾曲部４２２の湾曲方向端部から下方へ直線状に延伸部４２３が形成され、さらに、この延伸部４２３の下端部から斜め下方向へ向かって傾斜部４２４が延長した形状となる。
一方、延伸部４２３が無い場合は、図１６（ii）に示すように、湾曲部４２２の湾曲方向端部から直ぐに傾斜部４２４が延長した形状となる。
【００６７】
これら延伸部４２３がある場合と、無い場合との両方において、かしめ部材４０の基部４１の下面４１２から傾斜部４２４の先端部４２６までの高さを一定としたとき、延伸部４２３がある場合では、この延伸部４２３がある分、傾斜部４２４の長さを短くできるが、延伸部４２３が無い場合では、この延伸部４２３が無い分、傾斜部４２４の長さが長くなる。
また、傾斜部４２４の上側の面である傾斜上面４２５の位置は、傾斜部４２４が短い場合よりも、長い場合の方が、蓋ケース３０の第三側壁部３２３に向かって迫り出したところに位置するようになる。
【００６８】
そして、蓋ケース３０の第三側壁部３２３には、傾斜部４２４が収まる係止孔３８が穿設されている。
ここで、傾斜部４２４が短い場合、傾斜上面４２５が蓋ケース３０の第三側壁部３２３に向かって迫り出していない分、係止孔３８の縦方向の長さ（当該係止孔３８が穿設された第三側壁部３２３が上面部３１から延伸する方向と同じ方向の係止孔３８の長さ）を短くすることができる（図１６（ｉ）参照）。
これに対し、傾斜部４２４の長さが長いときは、傾斜上面４２５がその第三側壁部３２３に向かって迫り出している分、係止孔３８の縦方向の長さを長くする必要がある（図１６（ii）参照）。
【００６９】
これらを比較してわかるように、かしめ部材４０の係止部４２において、湾曲部４２２と傾斜部４２４との間に延伸部４２３を設けて傾斜部４２４の長さを短くすることにより、係止孔３８の縦方向の長さを短くすることができる。そして、このように、係止孔３８の縦方向の長さを短くすることにより、この係止孔３８が穿設されている蓋ケース３０の第三側壁部３２３の強度を高めることができる。
【００７０】
第二の効果は、傾斜部４２４の先端部４２６の位置を、ヒンジ部の高さであるＡ１に合わせることが容易となることである。
かしめ部材４０の係止部４２は、上述したように、立設部４２１と湾曲部４２２と延伸部４２３と傾斜部４２４とを有した形状となっているが、これらのうち、湾曲部４２２は、外力が加わって弾性変形する部分であり、ある程度の強度を必要し、かつ、円弧状又は逆Ｕ字状という形状を維持する必要があることから、その大きさや形状には、制限がある。
また、傾斜部４２４は、上述したように、蓋ケース３０の係止孔３８の大きさ（縦方向の長さ）を小さくために、その長さをできる限り短くするのが望ましい。
さらに、本体ケース２０の底部２１の上面２１５を基準面としたときに、傾斜部４２４の先端部４２６までの高さ（図１４に示す高さＡ２）は、ヒンジ凹部２５に嵌合したヒンジ凸部３６の中心軸までの高さ（図１４に示す高さＡ１）とほぼ同じ高さとする。
そこで、傾斜部４２４の先端部４２６の位置をヒンジ凸部３６の中心軸の高さＡ１と同じ高さに合わせつつ、この傾斜部４２４の長さを短くし、かつ、湾曲部４２２の形状を所定の強度を有する形状とするために、これら傾斜部４２４と湾曲部４２２との間に、延伸部４２３を設けることとした。
これにより、湾曲部４２２の大きさや形状を保持しつつ、延伸部４２３の長さを調節することで、傾斜部４２４の長さを短くしつつ、この傾斜部４２４の先端部４２６の位置をヒンジ凸部３６の中心軸の高さＡ１と同じ高さに合わせることができる。
【００７１】
第三の効果は、かしめ部材４０の大きさを小さくできることである。
かしめ部材４０の係止部４２は、上述したように、立設部４２１と湾曲部４２２と延伸部４２３と傾斜部４２４とを有したヘアピン状に形成されている。このため、これら立設部４２１と湾曲部４２２と延伸部４２３と傾斜部４２４とが互いに近接した位置にある。
ここで、係止部４２に湾曲部４２２と延伸部４２３とを設けず、立設部４２１の立設方向端部に傾斜部４２４を形成した形状を想定する。このような形状の場合、当該かしめ部材４０は、縦方向に長い形状となり、全体の大きさが大きくなる。
これに対して、係止部４２に湾曲部４２２と延伸部４２３とを設けた場合には、立設部４２１の近傍に延伸部４２３と傾斜部４２４とが位置するようになり、係止部４２が全体としてコンパクトな形状となる。これにより、かしめ部材４０の大きさを小さくすることができる。
【００７２】
（ｅ−３）傾斜部４２４の下側の面である傾斜下面４２７を傾斜面としたこと
傾斜部４２４においては、上側の面である傾斜上面４２５だけでなく、下側の面である傾斜下面４２７も傾斜面として形成されている。これにより、本体ケース２０からの蓋ケース３０の脱離を防止している。
例えば、蓋ケース３０と本体ケース２０が閉じられた状態において、これら蓋ケース３０と本体ケース２０がかしめ部材４０によって開封不能に封止されている。具体的には、図１７（ｉ）に示すように、かしめ部材４０の傾斜部４２４の先端部４２６が蓋ケース３０の係止孔３８の下側の側面に当接することにより、蓋ケース３０と本体ケース２０が開封不能となっている。
【００７３】
ただし、かしめ部材４０の係止部４２は、湾曲部４２２が弾性変形する程度の弾性を有している。このため、蓋ケース３０を本体ケース２０から離間する方向に強く引き上げると、図１７（ii）に示すように、蓋ケース３０の係止孔３８の下側の側面がかしめ部材４０の傾斜部４２４の先端部４２６をその引き上げ方向に押圧し、このかしめ部材４０の係止部４２の湾曲部４２２が弾性変形して、延伸部４２３と傾斜部４２４が持ち上がる。
ところが、このように延伸部４２３と傾斜部４２４が持ち上がるとき、傾斜部４２４の傾斜下面４２７が傾斜しているために、蓋ケース３０の係止孔３８の下側の側面が、傾斜部４２４の先端部４２６から傾斜下面４２７に接近するようになる。
そして、蓋ケース３０をさらに強く引き上げると、湾曲部４２２がさらに弾性変形して広がり、蓋ケース３０の係止孔３８の下側部分が、傾斜部４２４の傾斜下面４２７から湾曲部４２２の内部へ移動するようになり、この湾曲部４２２に係止する。そして、この湾曲部４２２に阻止されてこれより上方へ移動することができなくなる。これにより、蓋ケース３０が本体ケース２０から離間するのを防止できる。
【００７４】
ここまで説明したように、本実施形態の基板ケース１０ｂは、上述した（ａ）〜（ｅ）に項目分けして詳述した数々の優れた特徴を備えている。
ところで、これらの特徴を備えた基板ケース１０ｂは、本体ケース２０の底部２１の上面２１５にかしめ部材４０を装着する構成となっている。ただし、基板ケース１０ｂの構成は、この構成に限るものではなく、図１８、図１９に示すように、そのかしめ部材４０を蓋ケース３０に装着する構成とすることができる。
この構成の場合、当該蓋ケース３０の上面部３１の内側面３１１には、かしめ部材４０を固定するための固定用ボス６１が形成されるとともに、当該蓋ケース３０の上面部３１における固定用ボス６１の周囲には、開口と繋接部とを含む切断容易部６２が形成される。
また、本体ケース２０の第三側壁部２２３には、係止孔６３が穿設される。
さらに、かしめ部材４０は、図７に示した形状と同様の形状とすることができ、直方体状の基部４１と、この基部４１の上面４１１から立設した係止部４２とを有した形状に形成される。
【００７５】
そして、かしめ部材４０のボス嵌合穴４１３に蓋ケース３０の固定用ボス６１を嵌入するようにして、かしめ部材４０を蓋ケース３０の上面部３１の内側面３１１に装着し、かしめ部材４０のネジ孔４１５にネジ５２を挿通して、固定用ボス６１の雌ネジにそのネジ５２を螺入することで、かしめ部材４０を蓋ケース３０の上面部３１の内側面３１１（図１９に示すかしめ部材４０の取り付け範囲）に螺着固定することができる。
なお、副制御基板１０ａは、かしめ部材４０が螺着固定された後の蓋ケース３０の基板収容空間３３に収容する。
【００７６】
さらに、蓋ケース３０の第二側壁部３２２と第四側壁部３２４のそれぞれにおいてＬの字状に凹設されたヒンジ凹部６４（図１９参照）に対して、本体ケース２０の第二側壁部２２２と第四側壁部２２４のそれぞれの外側面に突設されたヒンジ凸部（図示せず）を嵌入し、このヒンジ凸部の中心軸を中心として、蓋ケース３０を回動することにより、本体ケース２０に対して蓋ケース３０を閉塞する。
このとき、本体ケース２０の係止孔６３に対して、かしめ部材４０の傾斜部４２４が係止する。これにより、本体ケース２０と蓋ケース３０が開封不能に封止される。
【００７７】
このように本体ケース２０と蓋ケース３０が閉じた状態においては、かしめ部材４０が、それら本体ケース２０と蓋ケース３０との間に挟まれた閉空間である基板収容空間３３内に密閉された状態となるので、そのかしめ部材４０に対する外部からのアクセスが不能となる。これにより、かしめ部材４０を破壊して本体ケース２０と蓋ケース３０とを開封し副制御基板１０ａにアクセスしようとする不正行為を防止できる。
また、蓋ケース３０においては、固定用ボス６１の周囲に、開口と繋接部とを含む切断容易部６２が形成されている。このため、メンテナンス等のために本体ケース２０と蓋ケース３０とを開封する必要が生じたときには、その切断容易部６２を切断することにより、蓋ケース３０と固定用ボス６１とを分離し、蓋ケース３０からかしめ部材４０を分離することで、蓋ケース３０と本体ケース２０とを開封することができる。
【００７８】
さらに、切断容易部６２は、少なくともその一部が、蓋ケース３０の上面部３１における基板対向領域Ｓ内に形成されている（図１８、図１９参照）。これにより、この切断容易部６２を基板対向領域Ｓよりも外側に形成した場合と比較して、基板ケース１０ｂの大きさを小さくできる。
しかも、かしめ部材４０を固定するためのネジ５２は、蓋ケース３０における基板対向領域Ｓと副制御基板１０ａとの間に位置している。このため、そのネジ５２を副制御基板１０ａよりも外側に位置させた場合と比較して、基板ケース１０ｂの大きさを小さくできる。
なお、図１８、図１９においては、切断容易部６２の一部が蓋ケース３０における基板対向領域Ｓ内に形成されているが、当該切断容易部６２の全体をその基板対向領域Ｓ内に形成することもできる。この場合にも、当該切断容易部６２が基板対向領域Ｓに形成されている分、基板ケース１０ｂの大きさを小さくできる。
【００７９】
また、基板ケース１０ｂにおける、本体ケース２０の底部２１からヒンジ凸部３６の中心軸までの高さと、本体ケース２０の底部２１からかしめ部材４０の係止部４２の先端部４２６までの高さとを同じ高さとすることができる。これにより、（ｄ）で説明した効果と同様の効果を得ることができる。
しかも、かしめ部材４０の係止部４２の形状が、立設部４２１、湾曲部４２２、延伸部４２３、傾斜部４２４が連続した形状となっているため、（ｅ）で説明した効果と同様の効果を得ることができる。
【００８０】
さらに、図１８に示す構造の基板ケース１０ｂを遊技機１の筐体１ｂの内側面に取り付けたときには、切断容易部６２が当該基板ケース１０ｂの表面側に位置するようになるため、この切断容易部６２が不正に切断された痕跡を、容易かつ確実に発見することができる。
なお、図４、図１２、図１３に示す本体ケース２０においては、切断容易部２７が二つの固定用ボス２３１のそれぞれに計二つ形成されているが、図１８に示す蓋ケース３０においても、固定用ボス６１が二つ形成され、これら二つの固定用ボス６１のそれぞれに切断容易部６２が形成される。ただし、図１８においては、図示する角度の都合上、向こう側の切断容易部６２が見えないため、点線で図示している。
【００８１】
以上説明したように、本実施形態の遊技機によれば、本体ケースと蓋ケースとの封止を解除するための切断容易部が、本体ケースのうち制御基板の基板面に対向する領域内に形成されているため、当該基板ケースを小型化できる。これにより、遊技機内における当該基板ケースの配置を支障なく行うことができる。
また、基板ケースを小型化できるので、当該基板ケースのコストを低減できる。
【００８２】
以上、本発明の遊技機の好ましい実施形態について説明したが、本発明に係る遊技機は上述した実施形態にのみ限定されるものではなく、本発明の範囲で種々の変更実施が可能であることは言うまでもない。
例えば、上述した実施形態では、基板ケースに収容される制御基板を副制御基板としたが、基板ケースに収容される制御基板は、副制御基板に限るものではなく、例えば、主制御基板や液晶制御基板など、他の制御基板であってもよい。
【００８３】
また、上述した実施形態では、離間している本体ケースと蓋ケースとを閉じるときに、蓋ケースのヒンジ凸部を本体ケースのヒンジ凹部に嵌入し、嵌入したヒンジ凸部の中心軸を中心として、蓋ケースを回動することにより、本体ケースに対して蓋ケースを閉じるようにしている。ただし、本体ケースと蓋ケースとを閉じるための機構は、ヒンジ機構に限るものではなく、例えば、本体ケースの上面上で蓋ケースをスライドさせながら閉じることを可能とする機構を用いることができる。具体的には、例えば、本体ケースの上面における少なくとも対向する二辺に、Γの字状の係止部を設け、蓋ケースには、その係止部が係止する被係止部を設け、本体ケースの上面上に位置をずらして蓋ケースを重ね合わせ、この蓋ケースを本体ケースの上面上でスライドさせながら、本体ケースの係止部を蓋ケースの被係止部に係止することで、本体ケースと蓋ケースとを閉じるスライド機構を用いることができる。
【００８４】
さらに、上述した実施形態では、制御基板を収容する基板ケースを開封するために切断される部分を切断容易部として説明したが、この切断容易部に代えて、基板ケースを開封するために破壊される破壊容易部を設けることができる。
破壊容易部は、切断容易部と同様の形状であってもよく、あるいは、異なる形状であってもよい。異なる形状とする場合は、例えば、開口を設けず、薄肉部のみで形成し、この薄肉部を破壊することで、本体ケースと蓋ケースとを開封する構成とすることができる。
また、破壊容易部を切断容易部と同様の形状とした場合は、本体ケースにおける固定用ボスの周囲に、開口と、薄肉部である繋接部とを、環状に配置し、繋接部を破壊することで、本体ケースと蓋ケースとを開封する構成とすることができる。
【００８５】
さらに、上述した実施形態では、本体ケースにヒンジ凹部を形成し、蓋ケースにヒンジ凸部を形成する構成としたが、この構成に限るものではなく、本体ケースにヒンジ凸部を形成し、蓋ケースにヒンジ凹部を形成する構成とすることができる。
また、上述した実施形態では、かしめ部材を本体ケースに固定するための固定部材の具体例としてネジを挙げたが、固定部材は、ネジに限るものではなく、例えば、ビス、ボルト（付属部品としてナット）、リベットなどであってもよい。
【００８６】
また、図２においては、副制御部１０がスロットマシン１の筐体１ｂの内側面に取り付けられているが、副制御部１０の取り付け位置は、筐体１ｂの内側面に限るものではなく、図２０に示すように、前扉１ａの背面に取り付けるようにしてもよい。
この場合、この副制御部１０は、切断容易部又は破壊容易部が本体ケースに形成されたものであってもよく、あるいは、蓋ケースに形成されたものであってもよい。
これらのうち、切断容易部等が本体ケースに形成されている場合には、それら切断容易部等は、副制御部１０の裏側に位置するようになるので、前扉１ａを開けたときでも、それら切断容易部等へのアクセスが困難となる。これにより、当該切断容易部等を切断又は破壊して基板ケースを開封する不正行為を防止できる。また、切断容易部等が不正に切断又は破壊されたときは、その痕跡が切断痕又は破壊痕として残るので、当該スロットマシン１の前扉１ａの背面に取り付けられた副制御部１０の基板ケースの裏面を遊技場の店員が見たときに、その痕跡を見つけることで、不正行為が発生したことを発見できる。
一方、切断容易部等が蓋ケースに形成されている場合には、切断容易部等は、副制御部１０の表側に位置するようになる。これにより、これら切断容易部等が切断又は破壊された痕跡を容易に見つけることができ、不正行為が発生したことを確実に発見できる。
【産業上の利用可能性】
【００８７】
本発明は、所定の制御基板を収容する基板ケースを備えた遊技機に広く利用することができる。
【符号の説明】
【００８８】
１  スロットマシン（遊技機）
１０  副制御部
１０ａ  副制御基板
１０ｂ  基板ケース
２０  本体ケース（第一ケース）
２５  ヒンジ凹部
２７、６２  切断容易部
３０  蓋ケース（第二ケース）
３６  ヒンジ凸部
３８、６３  係止孔
４０  かしめ部材
４２  係止部
４２２  湾曲部
４２３  延伸部
４２４  傾斜部
４２６  先端部
５２  ネジ（固定部材）
【図１】
2015000171.tif 000003
【図２】
2015000171.tif 000004
【図３】
2015000171.tif 000005
【図４】
2015000171.tif 000006
【図５】
2015000171.tif 000007
【図６】
2015000171.tif 000008
【図７】
2015000171.tif 000009
【図８】
2015000171.tif 000010
【図９】
2015000171.tif 000011
【図１０】
2015000171.tif 000012
【図１１】
2015000171.tif 000013
【図１２】
2015000171.tif 000014
【図１３】
2015000171.tif 000015
【図１４】
2015000171.tif 000016
【図１５】
2015000171.tif 000017
【図１６】
2015000171.tif 000018
【図１７】
2015000171.tif 000019
【図１８】
2015000171.tif 000020
【図１９】
2015000171.tif 000021
【図２０】
2015000171.tif 000022